【手続補正書】
【提出日】令和2年1月6日(2020.1.6)
【手続補正１】
【補正対象書類名】特許請求の範囲
【補正対象項目名】全文
【補正方法】変更
【補正の内容】
【特許請求の範囲】
【請求項１】
リソース制御の方法であって：
第２のアカウントを操作するために第１のアカウントによって送信された要求を、サーバによって受信するステップであって、操作要求は、ｉ）前記第１のアカウントが前記第２のアカウントによって実行される操作に投票するための要求と、ｉｉ）投票タイプを含む操作タイプ情報とを含む、前記受信するステップ（Ｓ２０１）と；
前記第１のアカウントが前記第２のアカウントに関連付けられているかどうかを判断するステップ（Ｓ２０２）と；
判断結果が肯定（yes）である場合、前記第２のアカウントによって与えられた前記第１のアカウントへの許可が前記操作タイプ情報に対応する許可を含むかどうかを判断するステップ（Ｓ２０３）と；
肯定の場合、前記操作タイプ情報に対応する操作を実行するステップであって、前記操作は、前記操作要求に含まれる投票タイプに基づいて前記第２のアカウントによって実行される前記操作に投票することと、所定の条件が満たされた場合、前記第２のアカウントに関連付けられた第１のアカウントの投票結果を収集することと、前記投票結果に基づいて前記第２のアカウントによって実行される前記操作を許可又は拒否することとを含む、前記実行するステップ（Ｓ２０４）と、否定の場合、前記操作タイプ情報に対応する操作の実行を拒否するステップ（Ｓ２０５）と；
判断結果が否定（no）である場合、前記操作タイプ情報に対応する操作の実行を拒否するステップ（Ｓ２０５）と；を備える、
リソース制御の方法。
【請求項２】
前記操作タイプ情報は、リソース情報確認タイプを含み、
前記操作タイプ情報に対応する操作を実行する前記ステップは、具体的に：
前記第２のアカウントに対応するリソース情報を取得するステップと；
取得された前記リソース情報を前記第１のアカウントに提供するステップと；を備える、
請求項１に記載のリソース制御の方法。
【請求項３】
前記操作タイプ情報は、リソース移動タイプを含み、
前記操作要求は、移動させるリソースの数を更に含み、
前記操作タイプ情報に対応する操作を実行する前記ステップは、具体的に：
前記リソースの数に対応するリソースを前記第１のアカウントから引き出して前記第２のアカウントに追加するステップ；を備える、
請求項１に記載のリソース制御の方法。
【請求項４】
前記第１のアカウントから前記第２のアカウントへ移動させたリソースの総数を特定するステップと；
前記リソースの総数に基づいて、前記第１のアカウントに対応するリソース移動ラベルを設定し、前記第１のアカウントのアカウント情報をユーザに提供する前に、前記第１のアカウントのアカウント情報に前記リソース移動ラベルを追加するステップと；を更に備える、
請求項３に記載の方法。
【請求項５】
前記第１のアカウントを前記第２のアカウントに関連付けるために前記ユーザによって送信された要求を、前記サーバによって受信するステップ（Ｓ１０１）と；
前記第１のアカウントを前記第２のアカウントに関連付けるステップ（Ｓ１０２）と；
前記第２のアカウントに対する部分的な許可を前記第１のアカウントに付与するステップ（Ｓ１０３）と；を更に備える、
請求項１〜４のいずれか１項に記載のリソース制御の方法。
【請求項６】
前記部分的な許可は、前記第２のアカウントに対応するリソース情報を確認する許可、前記第２のアカウントへリソースを移す許可、及び前記第２のアカウントによって実行される操作について採決する許可、のうちの少なくとも１つを含み、
前記サーバは、前記第２のアカウントに関連付けられた第１のアカウントの投票結果に基づいて、前記第２のアカウントによって実行される操作を許可又は拒否する、
請求項５に記載の方法。
【請求項７】
前記リソースは金額を含む、
請求項１乃至請求項６のいずれか１項に記載のリソース制御の方法。
【請求項８】
リソース制御の装置であって：
第２のアカウントを操作するために第１のアカウントによって送信された要求を受信するように構成された受信モジュールであって、操作要求は、ｉ）前記第１のアカウントが前記第２のアカウントによって実行される操作に投票するための要求と、ｉｉ）投票タイプを含む操作タイプ情報とを含む、前記受信モジュールと；
前記第１のアカウントが前記第２のアカウントに関連付けられているかどうかを判断するように構成された判断モジュールと；
実行モジュールであって、
前記判断モジュールの判断結果が肯定である場合、前記第２のアカウントによって与えられた前記第１のアカウントへの許可が前記操作タイプ情報に対応する許可を含むかどうかを判断し、
肯定の場合、前記操作タイプ情報に対応する操作を実行し、前記操作は、前記操作要求に含まれる投票タイプに基づいて前記第２のアカウントによって実行される前記操作に投票することと、所定の条件が満たされた場合、前記第２のアカウントに関連付けられた第１のアカウントの投票結果を収集することと、前記投票結果に基づいて前記第２のアカウントによって実行される前記操作を許可又は拒否することとを含み、否定の場合、前記操作タイプ情報に対応する操作の実行を拒否し、
前記判断モジュールの判断結果が否定である場合、前記操作タイプ情報に対応する操作の実行を拒否するように構成された、前記実行モジュールと；を備える、
リソース制御の装置。
【請求項９】
前記操作タイプ情報は、リソース情報確認タイプを含み、
前記実行モジュールは、具体的に、前記第２のアカウントに対応するリソース情報を取得し、取得された前記リソース情報を前記第１のアカウントに提供するように構成された、
請求項８に記載のリソース制御の装置。
【請求項１０】
前記操作タイプ情報は、リソース移動タイプを含み、
前記操作要求は、移動させるリソースの数を更に含み、
前記実行モジュールは、具体的に、前記リソースの数に対応するリソースを前記第１のアカウントから引き出して前記第２のアカウントに追加するように構成された、
請求項８に記載のリソース制御の装置。
【請求項１１】
ラベル付けモジュールであって、
前記第１のアカウントから前記第２のアカウントへ移動させたリソースの総数を特定し、
前記リソースの総数に基づいて、前記第１のアカウントに対応するリソース移動ラベルを設定し、
前記第１のアカウントのアカウント情報をユーザに提供する前に、前記第１のアカウントのアカウント情報に前記リソース移動ラベルを追加するように構成された、前記ラベル付きモジュール；を更に備える、
請求項１０に記載のリソース制御の装置。
【請求項１２】
前記第１のアカウントを前記第２のアカウントに関連付けるために前記ユーザによって送信された要求を受信するように構成された受信モジュールと；
前記第１のアカウントを前記第２のアカウントに関連付けるように構成された関連付けモジュールと；
前記第２のアカウントに対する部分的な許可を前記第１のアカウントに付与するように構成された許可付与モジュールと；を更に備える、
請求項８に記載のリソース制御の装置。
【請求項１３】
前記部分的な許可は、前記第２のアカウントに対応するリソース情報を確認する許可、前記第２のアカウントへリソースを移す許可、及び前記第２のアカウントによって実行される操作について採決する許可、のうちの少なくとも１つを含み、
サーバは、前記第２のアカウントに関連付けられた第１のアカウントの投票結果に基づいて、前記第２のアカウントによって実行される操作を許可又は拒否する、
請求項１２に記載の装置。
【請求項１４】
前記リソースは金額を含む、
請求項８乃至請求項１３のいずれか１項に記載のリソース制御の装置。
【手続補正２】
【補正対象書類名】明細書
【補正対象項目名】００７３
【補正方法】変更
【補正の内容】
【００７３】
上記の実施は、本願の単なる実施であり、本願を限定するものではない。当業者であれば、本願に様々な修正や変更を加えることができる。本願の精神および原理から逸脱することなくなされた任意の修正、均等物の置換、または改良は、本願の請求の範囲の範囲内に入るものとする。
［第１の局面］
許可管理の方法であって：
第１のアカウントを第２のアカウントに関連付けるためにユーザによって送信された要求を、サーバによって受信するステップと；
前記第１のアカウントを前記第２のアカウントに関連付けるステップと；
前記第２のアカウントに対する部分的な許可を前記第１のアカウントに付与するステップと；を備える、
許可管理の方法。
［第２の局面］
前記部分的な許可は、前記第２のアカウントに対応するリソース情報を確認する許可、前記第２のアカウントへリソースを移す許可、及び前記第２のアカウントによって実行される操作について採決する許可、のうちの少なくとも１つを含み；
前記サーバは、前記第２のアカウントに関連付けられた第１のアカウントの採決結果に基づいて、前記第２のアカウントによって実行される操作を許可又は拒否する、
第１の局面に記載の方法。
［第３の局面］
リソース制御の方法であって：
第２のアカウントを操作するために第１のアカウントによって送信された操作要求を、サーバによって受信するステップであって、前記操作要求が操作タイプ情報を含む、受信するステップと；
前記第１のアカウントが前記第２のアカウントに関連付けられているかどうかを判断するステップであって、
肯定（yes）である場合、前記第２のアカウントによって与えられた前記第１のアカウントへの許可が、前記操作タイプ情報に対応する許可を含むかどうかを判断し、肯定の場合前記操作タイプ情報に対応する操作を実行し、否定の場合前記操作タイプ情報に対応する操作の実行を拒否し、
否定（no）である場合、前記操作タイプ情報に対応する操作の実行を拒否する、判断するステップと；を備える、
リソース制御の方法。
［第４の局面］
前記操作タイプ情報は、リソース情報確認タイプを含み、
前記操作タイプ情報に対応する操作を実行する前記ステップは、具体的に：
前記第２のアカウントに対応するリソース情報を取得するステップと；
前記取得されたリソース情報を前記第１のアカウントに提供するステップと；を備える、
第３の局面に記載の方法。
［第５の局面］
前記操作タイプ情報は、リソース移動タイプを含み；
前記操作要求は、移動させるリソースの数を更に含み；
前記操作タイプ情報に対応する操作を実行する前記ステップは、具体的に：
前記リソースの数に対応するリソースを前記第１のアカウントから引き出して前記第２のアカウントに追加するステップを備える、
第３の局面に記載の方法。
［第６の局面］
前記第１のアカウントから前記第２のアカウントに移動させたリソースの総数を特定するステップと；
前記リソースの総数に基づいて、前記第１のアカウントにリソース移動ラベルを設定し、前記第１のアカウントのアカウント情報をユーザへ提供する前に、前記第１のアカウントのアカウント情報に前記リソース移動ラベルを追加するステップと；を更に備える、
第５の局面に記載の方法。
［第７の局面］
前記操作要求は、前記第１のアカウントが前記第２のアカウントによって実行される操作について採決する要求を含み；
前記操作タイプ情報は、採決タイプを含み；
前記操作タイプ情報に対応する操作を実行する前記ステップは、具体的に：
前記操作要求に含まれる投票タイプに基づき、前記第２のアカウントによって実行される前記操作について採決するステップと；
所定の条件が満たされた場合、前記第２のアカウントに関連付けられた前記第１のアカウントの投票結果を収集するステップと；
前記投票結果に基づき、前記第２のアカウントによって実行される前記操作を許可又は拒否するステップと；を備える、
第３の局面に記載の方法。
［第８の局面］
前記リソースは金額を含む、
第１の局面乃至第７の局面のいずれかに記載の方法。
［第９の局面］
許可管理の装置であって：
第１のアカウントと第２のアカウントとを関連付けるためにユーザにより送信された要求を受信するように構成された受信モジュールと；
前記第１のアカウントを前記第２のアカウントに関連付けるように構成された関連付けモジュールと；
前記第２のアカウントに対する部分的な許可を前記第１のアカウントに付与するように構成された許可付与モジュールと；を備える、
許可管理の装置。
［第１０の局面］
前記部分的な許可は：
前記第２のアカウントに対応するリソース情報を確認する許可、前記第２のアカウントにリソースを移す許可、及び前記第２のアカウントによって実行される操作について採決する許可、のうちの少なくとも１つを含み；
サーバは、前記第２のアカウントに関連付けられた第１のアカウントの投票結果に基づき、前記第２のアカウントによって実行される前記操作を許可又は拒否する；
第９の局面に記載の装置。
［第１１の局面］
リソース制御の装置であって：
第２のアカウントを操作するために第１のアカウントによって送信された操作要求を受信するように構成された受信モジュールであって、前記操作要求は操作タイプ情報を含む、受信モジュールと；
前記第１のアカウントが前記第２のアカウントに関連付けられているかどうかを判断するように構成された判断モジュールと；
前記判断モジュールの判断結果が肯定である場合、前記第２のアカウントによって与えられた前記第１のアカウントへの許可が前記操作タイプ情報に対応する許可を含むかどうかを判断し、肯定の場合前記操作タイプ情報に対応する操作を実行し、否定の場合前記操作タイプ情報に対応する操作の実行を拒否し、
前記判断モジュールの判断結果が否定である場合、前記操作タイプ情報に対応する操作の実行を拒否するように構成された、実行モジュールと；を備える、
リソース制御の装置。
［第１２の局面］
前記操作タイプ情報は、リソース情報確認タイプであり；
前記実行モジュールは具体的に、前記第２のアカウントに対応するリソース情報を取得し、取得された前記リソース情報を前記第１のアカウントへ提供するように構成された、
第１１の局面に記載の装置。
［第１３の局面］
前記操作タイプ情報はリソース移動タイプを含み、前記操作要求は移動させるリソースの数を更に含み；
前記実行モジュールは、具体的に、前記第１のアカウントから前記リソースの数に対応するリソースを引き出し、それらを前記第２のアカウントに追加するように構成された、
第１１の局面に記載の装置。
［第１４の局面］
ラベル付けモジュールであって：前記第１のアカウントから前記第２のアカウントへ移動させたリソースの総数を特定し；前記リソースの総数に基づいて前記第１のアカウントに対応するリソース移動ラベルを設定し；前記第１のアカウントのアカウント情報をユーザに提供する前に、前記第１のアカウントの前記アカウント情報に前記リソース移動ラベルを追加するように構成された、ラベル付きモジュールを更に備える、
第１３の局面に記載の装置。
［第１５の局面］
前記操作要求は、前記第１のアカウントが前記第２のアカウントによって実行される操作について採決する要求を含み；
前記操作タイプ情報は採決タイプを含み；
前記実行モジュールは、具体的に、前記操作要求に含まれる採決タイプに基づき、前記第２のアカウントによって実行される前記操作について採決し、所定の条件が満たされた場合、前記第２のアカウントに関連付けられた第１のアカウントの投票結果を収集し、前記投票結果に基づいて、前記第２のアカウントによって実施される前記操作を許可又は拒否するように構成された、
第１１の局面に記載の装置。
［第１６の局面］
前記リソースは金額を含む、
第９の局面乃至第１５の局面のいずれかに記載の装置。